(57)【要約】【課題】表表紙部の中央に表示されたカードのメインテーマが強調され、カードを受け取る側に強い印象を与えることができる冊子状グリーティングカードを提供する。【解決手段】一連の表紙台紙２と内容台紙３を重ね合わせて二つ折りにして表表紙部2aと裏表紙部2b及び内容ページ3a,3bを形成し、内容台紙３の折り曲げ部４には綴じ紐５を通し、綴じ紐５の両端部で表表紙部2aの中央にリボン状の結び部６を形成し、更に表表紙部2aの中央に表示されたメインテーマ表示部７の周囲にはラインストーン８，…で構成された二重の環状装飾部９を設けた冊子状グリーティングカード。【選択図】図１
0003116608.tif 000002
【実用新案登録請求の範囲】
【請求項１】
一連の表紙台紙と１又は２以上の内容台紙を重ね合わせて二つ折りにして表表紙部と裏表紙部及び該表表紙部と裏表紙部の間に二つ折りにした内容台紙によりそれぞれの内容ページを形成し、上記最内層の内容台紙の折り曲げ部には綴じ紐を通し、該綴じ紐の両端部で上記表表紙部の中央にリボン状の結び部を形成し、更に上記表表紙部の中央に表示されたメインテーマ表示部の周囲には環状装飾部を設けたことを特徴とする冊子状グリーティングカード。
【請求項２】
環状装飾部がメインテーマ表示部の周囲にラインストーン、七宝焼、ペーパーフラワー、トンボ玉、ビーズ等を配列して構成される請求項１記載の冊子状グリーティングカード。
【請求項３】
環状装飾部が一重又は二重又はそれ以上の多重構造である請求項１記載の冊子状カード。
【考案の詳細な説明】
【技術分野】
【０００１】
この考案は、冊子状グリーティングカードに関するものである。
【背景技術】
【０００２】
グリーティングカードは、クリスマス、正月、バレンタインデーなどの季節の挨拶、誕生、卒業、就職、結婚などの各種記念の祝意を表す手段として、或いは結婚式への招待などに盛んに用いられている。
【０００３】
また、冊子状のグリーティングカードとしては、一連の表紙台紙と１又は２以上の内容台紙を重ね合わせて二つ折りにして表表紙部と裏表紙部及び該表表紙部と裏表紙部の間に二つ折りにした内容台紙によりそれぞれの内容ページを形成し、上記最内層の内容台紙の折り曲げ部には綴じ紐を通し、その両端を結んで冊子状にしたものが市販されている。
【０００４】
これらの冊子状グリーティングカードの表表紙部の中央には、グリーティングカードが結婚式招待状であれば「ウエディングインビテーション」、或いはグリーティングカードが誕生日お祝いカードであれば「ハッピーバースデー」等のグリーティングカードのメインテーマが表示され、内容ページには具体的な内容等を記載して招待者或いは誕生日をお祝いする人等に送るものである。
【０００５】
また、これらのカードをオリジナルカードとして趣向を凝らしたものも知られている。
【特許文献１】特開2002-144778、特開2004-9519、実用新案登録第3108928号
【考案の開示】
【考案が解決しようとする課題】
【０００６】
しかし、これらの冊子状グリーティングカードの表表紙部の中央に表示されるカードのメインテーマはカードを送る側の感情が込められた最も重要な箇所であるが、従来これらカードのメインテーマは単にプリントされて表示されるだけで、カードを受け取る側に強い印象を与えるものではなかった。
【課題を解決するための手段】
【０００７】
そこで、この考案は上記実情に鑑み、一連の表紙台紙と１又は２以上の内容台紙を重ね合わせて二つ折りにして表表紙部と裏表紙部及び該表表紙部と裏表紙部の間に二つ折りにした内容台紙によりそれぞれの内容ページを形成し、上記最内層の内容台紙の折り曲げ部には綴じ紐を通し、該綴じ紐の両端部で上記表表紙部の中央にリボン状の結び部を形成し、更に上記表表紙部の中央に表示されたメインテーマ表示部の周囲には環状装飾部を設けた冊子状グリーティングカードを提案するものである。
【０００８】
即ち、この考案では冊子状グリーティングカードは最内層の内容台紙の折り曲げ部には綴じ紐を通し、該綴じ紐の両端部で上記表表紙部の中央にリボン状の結び部を形成し、且つ表表紙部の中央に表示されたメインテーマ表示部の周囲には環状装飾部が設けられているため、カードのメインテーマが強調され、カードを受け取る側に強い印象を与えることになる。
【０００９】
なお、この考案において環状装飾部はメインテーマ表示部の周囲にラインストーン、七宝焼、ペーパーフラワー、トンボ玉、ビーズ等の装飾部材を配列して構成してもよく、更に環状装飾部は一重又は二重又はそれ以上の多重構造であってもよい。
【考案の効果】
【００１０】
以上要するに、この考案によれば表表紙部の中央に表示されたグリーティングカードのメインテーマの周囲がラインストーン、七宝焼、ペーパーフラワー、トンボ玉、ビーズ等の装飾部材により構成される環状装飾部に囲まれることにより、カードを受け取る側にグリーティングカードのメインテーマを強く印象付けることができる。
【考案を実施するための最良の形態】
【００１１】
一連の表紙台紙と１又は２以上の内容台紙を重ね合わせて二つ折りにして表表紙部と裏表紙部及び該表表紙部と裏表紙部の間に二つ折りにした内容台紙によりそれぞれの内容ページを形成し、上記最内層の内容台紙の折り曲げ部には綴じ紐を通し、該綴じ紐の両端部で上記表表紙部の中央にリボン状の結び部を形成し、更に上記表表紙部の中央に表示されたメインテーマ表示部の周囲にはラインストーンを配列して構成された二重の環状装飾部を設けた冊子状グリーティングカード。
【実施例１】
【００１２】
以下、図示の実施例に基づいてこの考案を詳細に説明すると、１は誕生日挨拶状である冊子状グリーティングカードで、冊子状グリーティングカード１は一連の表紙台紙２と内容台紙３を重ね合わせて二つ折りにして表表紙部2aと裏表紙部2b及び表表紙部2aと裏表紙部2bの間に二つ折りにした内容台紙３によりそれぞれの内容ページ3a,3bを形成し、内容台紙３の折り曲げ部４には綴じ紐５を通し、綴じ紐５の両端部で表表紙部2aの中央にリボン状の結び部６を形成して構成される。
【００１３】
更に表表紙部2aの中央には「ハッピーバースデー」等のグリーティングカード１のメインテーマ表示部７が設けられ、表示部７の周囲にはラインストーン８、…で構成された二重の環状装飾部９が設けられる。
【００１４】
以上のような構成において、この考案ではメインテーマ表示７の周囲にはラインストーン８，…で構成された環状装飾部９が設けられているため、表示部７に表示された「ハッピーバースデー」の表示が強調され、カードを受け取る側に強い印象を与えることができる。
【００１５】
なお、この実施例では環状装飾部９を二重構造にしたが、勿論一重構造でもよく、また二重以上の多重構造にしてもよい。
【００１６】
また、この実施例ではメインテーマ表示部７の周囲にラインストーン８，…を配列することにより環状装飾部９を構成したが、勿論図３の結婚式招待状１に示すようにメインテーマ表示部７の周囲にペーパーフラワー10，…を配列することにより環状装飾部９を構成してもよい。
【産業上の利用可能性】
【００１７】
以上要するに、この考案によれば表表紙部の中央のメインテーマ表示部の周囲に環状装飾部が配置されているため、カードのメインテーマが強調され、カードを受け取る側に強い印象を与えることになる。
【図面の簡単な説明】
【００１８】
【図１】この考案に係わる冊子状グリーティングカードの一実施例を示す斜視図
【図２】同上の冊子状グリーティングカードを半開きにした状態の斜視図
【図３】この考案に係わる冊子状グリーティングカードの他の一実施例を示す斜視図
【符号の説明】
【００１９】
１は誕生日挨拶状である冊子状カード本体
２は一連の表紙台紙
３は一連の内容台紙
2a,2bは表表紙部，裏表紙部
3a,3bは内容ページ
４は内容台紙３の折り曲げ部
５は綴じ紐
６はリボン状の結び部
７はカードのメインテーマ表示部
８,…はラインストーン
９は環状装飾部
10，…はペーパーフラワー
【図１】
0003116608.tif 000003
【図２】
0003116608.tif 000004
【図３】
0003116608.tif 000005